(57)【特許請求の範囲】
【請求項１】
所員用通路の一側と他側に設けた開口フランジにより形成されるエアロック室と、開口フランジの夫々に形成された開口を別個に開閉する扉と、各開口フランジに形成した均圧用の連通孔と、エアロック室の内外部に備えたハンドルの回転により駆動軸を介して前記連通孔を別個に開閉し得る均圧装置とを備えている所員用エアロックの均圧装置であって、シールを備えて開口フランジの連通孔周辺に圧着・離反することにより連通孔の遮断・開放を行うようにした圧着弁と、前記ハンドルの回転により圧着弁の圧着・離反を駆動する弁開閉駆動装置とを備え、前記圧着弁は、連通孔を取り囲むシールを備えたタッチ弁体と、タッチ弁体の背面に鉛直に備えた弁ロッドと、弁ロッドの外周に備えてタッチ弁体を開口フランジから離反させる方向に付勢された戻しばねとにより構成され、前記弁開閉駆動装置は、ハンドルの回転により駆動軸に連動して回転する回転軸と、回転軸の回転によりナット装置を介して弁ロッドの軸方向にスライドするスライドブロックと、該スライドブロックと弁ロッドとの間に設けた押圧ばねとにより構成されていることを特徴とする所員用エアロックの均圧装置。
【請求項２】
圧着弁に、二重構造のシールを設け、且つ該二重構造のシール間に気密試験用の流体供給口を備えていることを特徴とする請求項１記載の所員用エアロックの均圧装置。
【発明の詳細な説明】
【０００１】
【発明の属する技術分野】
本発明は、所員用エアロックの均圧装置に関するものである。
【０００２】
【従来の技術】
原子炉格納容器には、原子炉の点検作業時などの所員の通路を確保し、且つ所員の出入りの際に原子炉格納容器内の空気が外部へ流出するのを防止するための所員用エアロックが備えられている。
【０００３】
図４は、図示しない原子炉格納容器に備えられる従来の所員用エアロックの一例を示したものである。所員用エアロックは、原子炉格納容器の内外側を貫通する円筒形状の所員用通路Ａを有しており、所員用通路Ａの内外側には所員用通路Ａを内外側で仕切るための２つの開口フランジ１ａ，１ｂが設けられており、所員用通路Ａと開口フランジ１ａ，１ｂとによってエアロック室１が形成されている。
【０００４】
各開口フランジ１ａ，１ｂには、所員の通行のための開口２が形成されており、各開口フランジ１ａ，１ｂにおける原子炉格納容器の中心側には、夫々扉回転軸３を中心に回動して開口２を原子炉格納容器の中心側から閉塞できるようにした内側の扉４ａ及び外側の扉４ｂが配置されている。
【０００５】
前記扉４ａ，４ｂは、以下に述べる扉開閉装置によって、別々に開口２の開閉を行うようになっている。
【０００６】
扉開閉装置は、扉４ａ，４ｂの側部位置にて開口フランジ１ａ，１ｂ及びエアロック室１を貫通して配置された駆動軸５，６と、該駆動軸５，６によって扉４ａ，４ｂの開閉などを行うように、扉４ａ，４ｂに対応して配置されたカム切替装置７ａ，７ｂを有している。
【０００７】
駆動軸５における扉４ａの内側の端部には、駆動軸５を回転するためのハンドル８ａが設けられ、又、駆動軸６における扉４ｂの外側の端部には、駆動軸６を回転するためのハンドル８ｂが設けられ、更に、エアロック室１内における駆動軸５，６の対向端部には、傘歯車を備えた反転装置９が設けられて駆動軸５，６が常に逆方向に回転されるようになっており、この反転装置９にも駆動軸５，６を駆動するための中間ハンドル８ｃが設けられている。
【０００８】
カム切替装置７ａ，７ｂは、駆動軸５，６に連動して１８０゜異なる位相で回転するようになっており、上記各ハンドル８ａ，８ｂ，８ｃの何れを回転しても、駆動軸５，６は互いに逆方向に回転して扉４ａと扉４ｂとを順次開閉し、扉４ａと扉４ｂが同時に開状態にはならないようになっている。
【０００９】
カム切替装置７ａ，７ｂは、その回転により扉４ａ，４ｂに対応して設けられている均圧装置１０と、ラッチ装置１１と、扉開閉駆動装置１２とを順次駆動するようになっている。即ち、扉４ａ，４ｂを開けて所員が出入りする際には、先ず、原子炉格納容器内の空気が外部へ流出するのを防止するために、均圧装置１０によりエアロック室１とその内外部との間の均圧を行い、更に、ラッチ装置１１により扉４ａ，４ｂのロック・アンロックを行い、更に扉開閉駆動装置１２により扉４ａ，４ｂの開閉を駆動する必要がある。
【００１０】
均圧装置１０は、図４及び図５に示すように、開口フランジ１ａ，１ｂに均圧用の連通孔１３を形成し、該連通孔１３に接続した配管１４にボール弁１５を接続している。更に、ボール弁１５に設けた切替えレバー１６が、前記カム切替装置７ａ，７ｂの回転によって押し引き作動されるロッド１７に連結されている。図５中１８は、ボール弁１５及び連通孔１３に設けたフィルターを示す。
【００１１】
従って、上記均圧装置１０では、カム切替装置７ａ，７ｂの回転によりロッド１７が押し引きされて、ボール弁１５が開閉されることにより、各開口フランジ１ａ，１ｂの内側と外側との間の連通（均圧）・遮断が行われるようになっている。
【００１２】
ラッチ装置１１は、図４のカム切替装置７ａ，７ｂの回転によって押し引き作動されるロッド１９によりロック・アンロックが行われるラッチ爪２０を、扉４ａ，４ｂと開口フランジ１ａ，１ｂとの間に備えており、扉４ａ，４ｂを開作動に先立ってラッチ爪２０がアンロックされ、扉４ａ，４ｂの閉塞した後にロックされるようになっている。
【００１３】
扉開閉駆動装置１２は、カム切替装置７ａ，７ｂの回転によって押し引き作動されるロッド２１により回転される軸２２，２３を介して前記扉回転軸３が回転され、扉４ａ，４ｂの開閉が行われるようになっている。
【００１４】
例えば、所員が原子炉格納容器の外側（図４の左側）からエアロック室１を通って内側（図４の右側）に入る際について説明する。先ず外側（左側）からエアロック室１内に入るためにハンドル８ｂを一定方向に回して駆動軸６を回転すると、先ずカム切替装置７ｂにより均圧装置１０のロッド１７が押されてボール弁１５が開けられ、連通孔１３が連通されることにより外側とエアロック室１内との間が均圧される。更に、ハンドル８ｂを回すと、カム切替装置７ｂによりラッチ装置１１のロッド１９が押され、ラッチ爪２０がアンロックされて扉４ｂの開作動が可能になり、更に、ハンドル８ｂを回すと、カム切替装置７ｂにより扉開閉駆動装置１２のロッド２１が押され、軸２２，２３が回転されて扉回転軸３が回されることにより扉４ｂが開けられる。
【００１５】
所員がエアロック室１に入った後、中間ハンドル８ｃにより駆動軸６を前記と逆方向に回転すると、前記と逆作動、即ち、ロッド２１が引かれて扉４ｂが閉塞され、ロッド１９が引かれてラッチ爪２０がロックされ、ロッド１７が引かれてボール弁１５が閉塞される。
【００１６】
続いて、更に中間ハンドル８ｃにより駆動軸５を同方向に回すと、今度は、カム切替装置７ａにより、開口フランジ１ａに備えたボール弁１５が開けられてエアロック室１内と内側との均圧が行なわれ、続いてラッチ爪２０がアンロックされ、次に扉４ａが開放されるので、所員は内側に入ることができる。次に、ハンドル８ａにより駆動軸５を上記と逆に回転させると、扉４ｂが閉塞され、ラッチ爪２０がロックされ、ボール弁１５が閉塞される。
【００１７】
所員が原子炉格納容器の内側（図４の右側）からエアロック室１を通って外側（図４の左側）に入る際には、上記と逆の操作によって行う。
【００１８】
【発明が解決しようとする課題】
しかし、図４、図５に示した従来の均圧装置１０においては、カム切替装置７ａ，７ｂによって押し引きされるロッド１７によって、ボール弁１５を開閉させる構造を有していたために、次のような種々の問題を有していた。
【００１９】
即ち、所員用エアロックにおいては、均圧装置１０の気密試験を実施する必要があるが、従来の均圧装置１０において気密試験を実施する場合には、連通孔１３に配管１４を介して取付けたボール弁１５を閉じた状態において、エアロック室１全体を加圧して試験する必要がある。このように従来の均圧装置１０においては、局部での気密試験を行うことができず、よって気密試験が大掛かりとなり、多大の試験時間を要するという問題を有していた。
【００２０】
又、上記気密試験によって漏洩が検出された場合にも、ボール弁１５自体に漏洩があるのか、配管１４に漏洩があるのか、又連通孔１３に漏洩があるのか不明であり、問題箇所の特定に時間が掛かるという問題を有していた。
【００２１】
本発明は、かかる従来の問題点を解決すべくなしたもので、構成が簡単で保守点検が容易であり、しかも局部気密試験が容易に可能な所員用エアロックの均圧装置を提供することを目的としている。
【００２２】
【発明を解決するための手段】
本発明は、所員用通路の一側と他側に設けた開口フランジにより形成されるエアロック室と、開口フランジの夫々に形成された開口を別個に開閉する扉と、各開口フランジに形成した均圧用の連通孔と、エアロック室の内外部に備えたハンドルの回転により駆動軸を介して前記連通孔を別個に開閉し得る均圧装置とを備えている所員用エアロックの均圧装置であって、シールを備えて開口フランジの連通孔周辺に圧着・離反することにより連通孔の遮断・開放を行うようにした圧着弁と、前記ハンドルの回転により圧着弁の圧着・離反を駆動する弁開閉駆動装置とを備え、前記圧着弁は、連通孔を取り囲むシールを備えたタッチ弁体と、タッチ弁体の背面に鉛直に備えた弁ロッドと、弁ロッドの外周に備えてタッチ弁体を開口フランジから離反させる方向に付勢された戻しばねとにより構成され、前記弁開閉駆動装置は、ハンドルの回転により駆動軸に連動して回転する回転軸と、回転軸の回転によりナット装置を介して弁ロッドの軸方向にスライドするスライドブロックと、該スライドブロックと弁ロッドとの間に設けた押圧ばねとにより構成されていることを特徴とする所員用エアロックの均圧装置、に係るものである。
【００２４】
又、圧着弁に、二重構造のシールを設け、且つ該二重構造のシール間に気密試験用の流体供給口を備えていてもよい。
【００２５】
上記手段によれば、以下のように作用する。
【００２６】
ハンドルにて駆動軸を回転すると、回転軸が回転することによりナット装置を介してスライドブロックがスライドし、圧着弁が開口フランジ内面に圧着・離反して連通孔の開閉を行うようにしているので、圧着弁の駆動方向が一軸方向であるために均圧装置の構成が簡単であり、しかも外部からのアクセスが容易な構造となっているために保守点検が容易である。
【００２７】
又、圧着弁のシールを二重構造としてその二重構造のシール間に、気密試験用の流体供給口を設けるようにしているので、圧着弁により連通孔を閉塞した状態で流体供給口から流体を加圧供給し、流体の漏洩を検査すれば、気密試験を局部試験にて容易に実施できる。
【００２８】
【発明の実施の形態】
以下、本発明の好適な実施の形態を図面に基づいて説明する。
【００２９】
図１、図２は、本発明の所員用エアロックの均圧装置を実施する形態の一例を示したものであり、図中図４、図５と同一の構成部分には同一の符号を付すことにより説明を省略し、本発明の特徴部分についてのみ以下に詳述する。
【００３０】
図１、図２では、図４で示した構成に比して、開口フランジ１ａ，１ｂを貫通して設けられる駆動軸５，６を互いに切り離した構成としており、駆動軸５にはハンドル２４ａ，２４ｂを設け、又、駆動軸６にはハンドル２４ａ’，２４ｂ’を設けており、扉４ａ，４ｂの開閉を駆動軸５，６により独立して行うようにしている。そして、開口フランジ１ａ，１ｂに形成されている各連通孔１３のエアロック室１内側には、連通孔１３を別個に開閉するようにした均圧装置２５ａ，２５ｂを略対称に備えている。この時、ハンドル２４ａ，２４ｂ、又はハンドル２４ａ’，２４ｂ’の回転により駆動軸５又は駆動軸６を回転させて均圧装置２５ａ又は２５ｂを作動させると、駆動軸５，６に連動して、図示しないラッチ装置及び扉開閉駆動装置が順次作動されるように接続されている。
【００３１】
図１、図２に示す均圧装置２５ａ，２５ｂは、開口フランジ１ａ，１ｂのエアロック室１側面に対して連通孔１３の周辺を包囲するようにシール２６を圧着・離反して連通孔１３の遮断・開放を行うようにした圧着弁２７と、該圧着弁２７の圧着・離反を駆動するための弁開閉駆動装置２８とを備えている。図中２９は、エアロック室１の内部側壁に固定部材３０を介して水平に固定された支持架台であり、該支持架台２９上にはスライド台３１が設けられている。
【００３２】
前記圧着弁２７は、連通孔１３を取り囲むシール２６を備えたタッチ弁体３２と、タッチ弁体３２の背面に鉛直に形成された弁ロッド３３とを備えており、弁ロッド３３は、連通孔１３の軸心と軸心が一致した状態で支持架台２９に設けられた滑り軸受３４により軸方向に移動可能に支持されている。更に、弁ロッド３３の端部に形成した段部３５と、前記滑り軸受３４との間には、圧着弁２７を開口フランジ１ａ，１ｂから離反させる方向に付勢された戻しばね３６が設けられている。
【００３３】
圧着弁２７のタッチ弁体３２に備えるシール２６は、図３に示すように二重構造を有しており、二重構造のシール２６ａ，２６ｂ間には、気密試験用の流体供給口３７を設けている。
【００３４】
弁開閉駆動装置２８は、図１、図２に示すように、各駆動軸５，６にホイール３８とチェーン３９等からなる伝達機構を介し連結されて駆動軸５，６に連動して回転するようにした回転軸４０を備えており、該回転軸４０は、支持架台２９上及び他の部分に設けた軸受４１により回転可能に支持されている。更に、前記支持架台２９のスライド台３１には、スライドブロック４２が前記弁ロッド３３の軸方向にスライド自在に設けられている。前記回転軸４０の先端には、スライドブロック４２に形成したナット孔４２ａに螺合するねじ部４０ａを備えてナット装置４３が構成されており、回転軸４０が回転されるとナット装置４３を介してスライドブロック４２がスライド台３１に沿って弁ロッド３３の軸方向にスライドするようなっている。
【００３５】
スライドブロック４２の右側端部には、弁ロッド３３の左側端部に形成した嵌合孔４４に嵌合するガイドロッド４５が設けられており、更にスライドブロック４２と弁ロッド３３の間には、前記戻しばね３６に比して大きな弾撥力を有する押圧ばね４６が設けられている。
【００３６】
次に、上記形態例における均圧装置２５ａ，２５ｂの作動について説明する。
【００３７】
均圧装置２５ａ，２５ｂのタッチ弁体３２が連通孔１３を閉塞している状態からタッチ弁体３２を開口フランジ１ａ，１ｂから離反させて連通孔１３を開放することにより均圧を行う場合について説明すると、ハンドル２４ａ，２４ｂ又はハンドル２４ａ’，２４ｂ’を回転して、駆動軸５又は駆動軸６を所定方向に回転させて回転軸４０を所定方向に回転させる。すると、回転軸４０先端のナット装置４３によって、スライドブロック４２はスライド台３１に沿って圧着弁２７から離反する方向にスライドし、この時圧着弁２７は戻しばね３６によって開口フランジ１ａ，１ｂから離反する方向に付勢されているので、圧着弁２７は開口フランジ１ａ，１ｂから離反し、連通孔１３を開放することにより均圧が行われる。
【００３８】
又、ハンドル２４ａ，２４ｂ又はハンドル２４ａ’，２４ｂ’を前記と逆方向に回転させると、回転軸４０先端のナット装置４３によって、スライドブロック４２はスライド台３１に沿って圧着弁２７に接近する方向にスライドし、押圧ばね４６を介して弁ロッド３３を押す。これにより圧着弁２７は開口フランジ１ａ，１ｂに当接され、更にスライドブロック４２が移動されることによって、押圧ばね４６の弾撥力により圧着弁２７は開口フランジ１ａ，１ｂに所定の力で圧着され、これにより連通孔１３を閉塞する。
【００３９】
上記ハンドル２４ａ，２４ｂ又はハンドル２４ａ’，２４ｂ’の回転により駆動軸５又は駆動軸６を回転させて均圧装置２５ａ，２５ｂを作動させる際には、これに連動して図示しないラッチ装置及び扉開閉駆動装置が順次駆動されてラッチ爪２０のロック・アンロック、及び扉４ａ，４ｂの開閉が行われる。
【００４０】
上記したように、ハンドル２４ａ，２４ｂ又はハンドル２４ａ’，２４ｂ’にて駆動軸５又は６を回転すると、回転軸４０が回転することによりナット装置４３を介してスライドブロック４２がスライドし、圧着弁２７が開口フランジ１ａ，１ｂ内面に圧着・離反して連通孔１３の開閉を行うようにしているので、圧着弁２７の駆動方向が一軸方向であるために均圧装置２５ａ，２５ｂの構成が簡単であり、しかも外部からのアクセスが容易な構造となっているために保守点検が容易である。
【００４１】
又、圧着弁２７に備えるシール２６を二重構造としてその二重構造のシール２６ａ，２６ｂ間に、気密試験用の流体供給口３７を設けるようにしているので、圧着弁２７により連通孔１３を閉塞した状態で流体供給口３７から流体を加圧供給し、流体の漏洩を検査すれば、気密試験を局部試験にて容易に実施することができる。
【００４２】
尚、本発明は上記形態例にのみ限定されるものではなく、本発明の要旨を逸脱しない範囲内において種々変更を加え得ることは勿論である。
【００４３】
【発明の効果】
本発明によれば、ハンドルにて駆動軸を回転すると、回転軸が回転することによりナット装置を介してスライドブロックがスライドし、圧着弁が開口フランジ内面に圧着・離反して連通孔の開閉を行うようにしているので、圧着弁の駆動方向が一軸方向であるために均圧装置の構成が簡単であり、しかも外部からのアクセスが容易な構造となっているために保守点検が容易であるという効果がある。
【００４４】
又、圧着弁のシールを二重構造としてその二重構造のシール間に、気密試験用の流体供給口を設けるようにしているので、圧着弁により連通孔を閉塞した状態で流体供給口から流体を加圧供給し、流体の漏洩を検査すれば、気密試験を局部試験にて容易に実施できるという効果がある。
【図面の簡単な説明】
【図１】本発明における所員用エアロックの均圧装置の形態例を示す側面図である。
【図２】図１のＩＩ−ＩＩ方向矢視図である。
【図３】図１の圧着弁の詳細断面図である。
【図４】従来の所員用エアロックの一例を示す全体斜視図である。
【図５】従来の所員用エアロックの均圧装置の一例を示す側面図である。
【符号の説明】
１  エアロック室
１ａ，１ｂ  開口フランジ
２  開口
４ａ，４ｂ  扉
５，６  駆動軸
１３  連通孔
２４ａ，２４ｂ、２４ａ’，２４ｂ’    ハンドル
２５ａ，２５ｂ        均圧装置
２６  シール
２６ａ，２６ｂ        シール
２７  圧着弁
２８  弁開閉駆動装置
３２  タッチ弁体
３３  弁ロッド
３６  戻しばね
３７  流体供給口
４０  回転軸
４２  スライドブロック
４３  ナット装置
４６  押圧ばね
Ａ    所員用通路
【図１】
0004345177.tif 000002
【図２】
0004345177.tif 000003
【図３】
0004345177.tif 000004
【図４】
0004345177.tif 000005
【図５】
0004345177.tif 000006